(57)【要約】      （修正有）【課題】トイレ室内を監視する監視装置において、一つの装置で入室を検知し、人が一定時間動かない場合に音で動作を促し、それでも動かない場合に警報を発生し続けるトイレ用警報装置を提供する。【解決手段】トイレの扉内側部分に固定される筐体と、トイレの扉の開閉を検知する、筐体に設けられる扉センサー２０と、トイレ内の人の動作を検知する、筐体に設けられる人感センサー３０と、警報音を発生する警報音発生器４０と、扉センサー２０が扉の閉状態を検知し、かつ、人感センサー３０が人の動作を検知した後で、人感センサー３０が第一の所定時間反応しない場合に警報音発生器４０に第一の警報音を発生させるとともに、当該第一の警報音を発生させた後、一定時間内に人感センサー３０が人の動作を検知した場合には警報音発生器４０に第一の警報音を停止させるよう制御する、筐体に設けられる制御ユニット５０とから構成する。【選択図】図３
0003198436.tif 000002
【実用新案登録請求の範囲】
【請求項１】
トイレの扉内側部分に固定される筐体と、
トイレの扉の開閉を検知する、前記筐体に設けられる扉センサーと、
トイレ内の人の動作を検知する、前記筐体に設けられる人感センサーと、
警報音を発生する警報音発生器と、
前記扉センサーが扉の閉状態を検知し、かつ、前記人感センサーが人の動作を検知した後で、人感センサーが第一の所定時間反応しない場合に前記警報音発生器に第一の警報音を発生させるとともに、当該第一の警報音を発生させた後、一定時間内に前記人感センサーが人の動作を検知した場合には前記警報音発生器に前記第一の警報音を停止させるよう制御する、前記筐体に設けられる制御ユニットと
を有するトイレ用警報装置。
【請求項２】
前記制御ユニットは、前記扉センサーが扉の閉状態を検知し、かつ、人感センサーが人の動作を検知したときから前記第一の所定時間より長い第二の所定時間が経過したときに前記警報音発生器に前記第一の警報音と異なる第二の警報音を発生させるよう制御する
請求項１に記載のトイレ用警報装置。
【請求項３】
前記制御ユニットは、前記警報音発生器に前記第一の警報音を発生させた後、前記一定時間が経過したときには、前記警報音発生器に前記第一の警報音に代えて前記第二の警報音を発生させるよう制御する請求項２に記載のトイレ用警報装置。
【考案の詳細な説明】
【技術分野】
【０００１】
本考案は、トイレにおける事故などを検知して警報を発する装置に関し、特に、トイレ使用者が所定時間動作しない場合に、動作を促す音を発するものに関する。
【背景技術】
【０００２】
トイレなどの密室で事故が生じることを事前に察知するための警報装置は、受動型のセンサーを用いて人の動きを感知し、一定時間動きがなくなったときに警報を発する方法を採るものが多い。しかし、このような警報装置では、単純に同じ姿勢をとっているだけの場合等に誤動作をするという問題があった。このような問題に対して、下記特許文献に示す考案は、人の入室を検知した後、一定時間人の動きがない場合、まず、入室者に動くことを促すような音を発生させ、これによっても入室者が動かない場合に初めて警報を発する方法を採用している。このような方法によれば、入室者が単に同じ姿勢を長時間とっているような場合に誤って警報を発することを抑制することができる。
【先行技術文献】
【特許文献】
【０００３】
【特許文献１】特開2000-67343号公報
【特許文献２】特開2003-856667公報
【特許文献３】特開2002-279553号公報
【考案の概要】
【考案が解決しようとする課題】
【０００４】
ところで、上記特許文献に記載の警報装置は、主に浴室に用いられるもので入室を確認するセンサー部分、室内全体の人の動作を検知するセンサー部分、通知音を室内に発する部分、警報を室外の他の住人に通知する部分が必要であり、大掛かりなシステムを構成する必要がある。
一方、監視する室内をトイレに限定する場合、人の動作を検知する範囲がドアに近い一定範囲に収まるので、ドアの開閉によって人の入室を確認するものとすれば、ドアに入室を確認するセンサー、人の動作を検知するセンサーをまとめることができ、また、音を出す部分も同じ位置にまとめることで、単一の装置によって上記特許文献に記載の警報装置と近似した動作を実現できるものと考えられる。
本考案は、このような着想に基づき、トイレ室内を監視する監視装置において、一つの装置で入室を検知し、人が一定時間動かない場合に音で動作を促し、それでも動かない場合に警報を発生し続ける装置を提供することを課題とする。
【課題を解決するための手段】
【０００５】
上記課題を解決するために、本考案は、次のような構成を有する。
請求項１に記載の考案は、トイレの扉内側部分に固定される筐体と、トイレの扉の開閉を検知する、前記筐体に設けられる扉センサーと、トイレ内の人の動作を検知する、前記筐体に設けられる人感センサーと、警報音を発生する警報音発生器と、前記扉センサーが扉の閉状態を検知し、かつ、前記人感センサーが人の動作を検知した後で、人感センサーが第一の所定時間反応しない場合に前記警報音発生器に第一の警報音を発生させるとともに、当該第一の警報音を発生させた後、一定時間内に前記人感センサーが人の動作を検知した場合には前記警報音発生器に前記第一の警報音を停止させるよう制御する、前記筐体に設けられる制御ユニットとを有するトイレ用警報装置である。
請求項２に記載の考案は、前記トイレ用警報装置において、前記制御ユニットは、前記扉センサーが扉の閉状態を検知し、かつ、人感センサーが人の動作を検知したときから前記第一の所定時間より長い第二の所定時間が経過したときに前記警報音発生器に前記第一の警報音と異なる第二の警報音を発生させるよう制御するものである。
請求項３に記載の考案は、前記トイレ用警報装置において、前記制御ユニットは、前記警報音発生器に前記第一の警報音を発生させた後、前記一定時間が経過したときには、前記警報音発生器に前記第一の警報音に代えて前記第二の警報音を発生させるよう制御するものである。
【考案の効果】
【０００６】
以上のような構成により、本考案は、次のような効果を奏する。
請求項１に記載の考案は、筐体内に扉センサー、人感センサー、警報音発生器、制御ユニットを内蔵し、当該筐体をトイレの扉の内側に固定するだけで、トイレへの入室後人の動作が一定時間移動ない場合に第一の警報音を発生させ、その後人が一定時間動かない場合には当該第一の警報音を鳴らし続ける。即ち、単一の装置のみで、人が動かないことを確認した後に、警報音を鳴らし続ける警報装置を実現することができる。
請求項２に記載の考案は、トイレに入出後長時間閉じこもっているような場合にも第二の警報音を発生させるので、一つの監視装置の共通の構成によって、人がトイレ内で動かないことを検知する警報装置と、人がトイレ内に長時間閉じこもっていることを検知する警報装置との２種類の警報装置を実現することができる。
請求項３に記載の考案は、第一の警報音は人の動作を促すものとし、第二の警報音は外部への警報音とすることで、第一の警報音はやさしくし、第二の警報音は外部にわかりやすくするといったように、役割に応じた警報音の使い分けが可能となる。
【図面の簡単な説明】
【０００７】
【図１】実施形態に係るトイレ用警報装置を示す斜視図である。
【図２】実施形態に係るトイレ用警報装置の内部を模式的に示す図である。
【図３】実施形態に係るトイレ用警報装置の構成を模式的に示すブロック図である。
【図４】実施形態に係るトイレ用警報装置の制御ユニットの動作を示すフローチャートである。
【考案を実施するための形態】
【０００８】
以下、本考案の実施の形態について、図面を参照しながら説明する。
図１に本実施形態に係るトイレ用警報装置Ｘの斜視図を示し、図２にトイレ用警報装置Ｘの内部を模式的に表す図を示す。トイレ用警報装置Ｘは、筐体１０、扉センサー２０、人感センサー３０、警報音発生器４０、制御ユニット５０、電池ボックス６０を有する。筐体１０は合成樹脂製の箱状体で、前面に人感センサーが表出する孔及び警報音発生器４０の音を通すスリット状の孔が設けられている。
扉センサー２０は、筐体１０の一側面に近接して設けられるリードスイッチから構成される。当該リードスイッチは後述する扉を閉めたときに近接する磁石Ｍに反応してＯＮになり、扉が開いて磁石Ｍが離れたときにＯＦＦになるものである。人感センサー３０は筐体１０正面の孔から検知面が表出する人体検出赤外線センサーから構成される。警報音発生器４０は圧電ブザーから構成される。電池ボックス６０は電池を直列に連結し保持する一般的な電池ボックスである。制御ユニット５０は演算処理を行うCPU、CPUの作業領域となるRAM、プログラムを記憶するROM、同期信号を発生するクロック等からなるいわゆるマイコンにより構成される。
図３に制御ユニット５０を中心としたトイレ用警報装置Ｘのブロック図を示す。制御ユニット５０は扉センサー２０、人感センサー３０からの信号を受け付けて、ＲＯＭに記憶された後述するような動作を行うプログラムに基づいて警報音発生器４０に警報音を発生させる。
【０００９】
次に、以上のような構成を有するトイレ用警報装置Ｘの使用方法及び動作について説明する。使用に際しては、図１の想像線で示すトイレの扉本体Ｐの内側上縁近傍に筐体１０をネジや両面テープにて固定する。また、筐体１０を固定した位置の扉センサー２０の位置に合わせて、上框Ｕ部分に棒状の磁石Ｍを扉センサー２０に向かい合うように固定する。なお、筐体１０の固定位置は、扉本体Ｐの側縁側にして磁石Ｍを縦框Ｌに固定してもよく、磁石Ｍを扉本体の縁部に固定し、筐体１０を上框Ｕや縦框Ｌに固定するようにしてもよい。
この状態で制御ユニット５０を起動させるとトイレ用警報装置Ｘは監視を始める。図４にトイレ用警報装置Ｘに制御ユニット５０の動作を表すフローチャートを示す。制御ユニット５０は監視が始まると、扉センサー２０を構成するリードスイッチがＯＮかどうかを判断する（ｓ１０１）。ここで扉が開いていてリードスイッチがＯＦＦの場合は、トイレ内に人がいないものとしてリードスイッチがＯＮになるまで待機する。リードスイッチがＯＮである場合、３秒待機して（ｓ１０２）、人感センサー３０の反応があるかどうかを判断する（ｓ１０３）。ここで３秒待機するのは、ドアの動きによってトイレ内の空気が乱れることで人感センサー３０が誤動作することを抑制するためである。ｓ１０３で人感センサー３０が反応しない場合は、空室であるものとしてｓ１０１に戻る。ｓ１０３で人感センサー３０が反応した場合は、人が入室したものとして１０秒待機した後（ｓ１０４）、タイマーによる時間の計測を開始する（ｓ１０５）。タイマー始動後、扉センサーがｏｆｆになったかどうかを監視し（ｓ１０６）、扉センサーがｏｆｆになった場合は、人が扉を開けたものと判断してタイマーをリセットし（ｓ１０７）、ｓ１０１に戻る。扉センサーがｏｎのままである場合は、タイマーの計測時間が３０分に達したかどうかを判断する（ｓ１０８）。ここで３０分を経過している場合は、長時間トイレに閉じこもっているものとして、警報音発生器４０に連続的に通電することで連続音を警報音として発生させる（ｓ１１５）。この連続音は扉が開き扉センサー２０を構成するリードスイッチがＯＦＦに成らない限り鳴り続け（ｓ１１６）、扉センサー２０を構成するリードスイッチがＯＦＦになった場合は、第三者が確認に来たものとして、警報音発生器４０への通電を止めて警報音を停止させる（ｓ１１７）。その後、ｓ１０１に戻る。
【００１０】
ｓ１０８で３０分を経過していない場合は、人感センサーが反応しているかどうかを判断し（ｓ１０９）、人感センサー３０が反応している場合は入室者に問題がないものとしてｓ１０６に戻る。人感センサー３０が反応していない場合は、無反応を検知した状態から１０分間人感センサー３０に反応があるかどうか監視し（ｓ１１０）、人感センサー３０に反応があればｓ１０６に戻る。１０分間人感センサー３０に反応がない場合は、入室者に動作を促すために、警報音発生器４０に間欠的に通電することで断続音を警報音として発生させる（ｓ１１１）。その後、この断続音で入室者が動いたかどうかを人感センサー３０が反応したかどうかにより判断し（ｓ１１２）、人感センサー３０の反応があれば、警報音発生器４０への通電を止めて警報音を停止させ（ｓ１１３）、ｓ１０６に戻る。人感センサー３０の反応があるかどうかは１０秒間判断され（ｓ１１４）、１０秒の間に人感センサー３０の反応がない場合は、入室者に異常があったものとして、警報音発生器４０に連続的に通電するようにすることで断続音の警報音を連続音に切り替える（ｓ１１５）。この連続音は、扉が開き扉センサー２０を構成するリードスイッチがＯＦＦに成らない限り鳴り続け（ｓ１１６）、扉センサー２０を構成するリードスイッチがＯＦＦになった場合は、第三者が確認に来たものとして、警報音発生器４０への通電を止めて警報音を停止させる（ｓ１１７）。その後、ｓ１０１に戻る。
以上説明したように、本実施形態に係るトイレ用警報装置Ｘは、筐体１０に必要な機能がコンパクトにまとまっているので、トイレのドア部分に固定するだけで簡易に設置できる。そして、一つのトイレ用警報装置Ｘで、人の動きが一定時間以上無い場合に、まず、断続音で入室者に動作を促して、それでも動かない場合は連続音の警報音に移行するという入室者が動かなくなったことに対する警報装置として機能するとともに、入室者が一定時間以上トイレに居ることを検知して連続音の警報音を発生するという入室者が長時間トイレに閉じこもっていることに対する警報装置としても機能することができる。
【００１１】
なお、上記実施形態では、動かなくなってから１０分経過した場合に動作を流す断続音を発生させ、また、入室してから３０分経過した場合に連続音の警報音を発生させるようにしているが、この時間は例示であり、適宜変更することができる。また、外部からの操作でこれらの時間を調節できるようにしてもよい。
また、上記実施形態における、扉センサーに用いたリードスイッチや人感センサーに用いた人体検出赤外線センサーは例示であり、他の種類のセンサーを採用することもできる。
それから、上記実施形態では電池ボックスで電力を得るようにしているが、家庭用コンセントに接続することで交流電流によって作動するようにすることもできる。
さらに、他の機器と連動できるように、入出力端子を設けたり、無線通信による他の機器との接続を可能としたりするようにしてもよい。
【符号の説明】
【００１２】
Ｘ  トイレ用警報装置
１０  筐体
２０  扉センサー
３０  人感センサー
４０  警報音発生器
５０  制御ユニット
６０  電池ボックス
Ｍ  磁石
【図１】
0003198436.tif 000003
【図２】
0003198436.tif 000004
【図３】
0003198436.tif 000005
【図４】
0003198436.tif 000006